(57)【特許請求の範囲】
【請求項１】
互いに独立した２系統の内視鏡画像信号を並列に同時に入力するための画像信号入力部と、上記画像信号入力部から入力された上記２系統の内視鏡画像信号を記録するための画像信号記録部と、上記画像信号記録部における上記２系統の内視鏡画像信号の記録の仕方を制御するための画像信号記録制御部とが設けられ、
上記２系統の内視鏡画像信号が共に動画であって、
上記画像信号入力部に上記２系統の内視鏡画像信号が同時に入力した時は、一方の内視鏡画像信号が他方の内視鏡画像信号に上書きされて上記画像信号記録部の同じ記録領域に順次記録されるように制御されることを特徴とする内視鏡の画像信号記録装置。
【請求項２】
互いに独立した２系統の内視鏡画像信号を並列に同時に入力するための画像信号入力部と、上記画像信号入力部から入力された上記２系統の内視鏡画像信号を記録するための画像信号記録部と、上記画像信号記録部における上記２系統の内視鏡画像信号の記録の仕方を制御するための画像信号記録制御部とが設けられ、
上記２系統の内視鏡画像信号の中の一方の内視鏡画像信号が静止画で他方が動画であり、
上記画像信号入力部に上記２系統の内視鏡画像信号が同時に入力した時は、一方の内視鏡画像信号が他方の内視鏡画像信号に上書きされて上記画像信号記録部の同じ記録領域に順次記録されるように制御されることを特徴とする内視鏡の画像信号記録装置。
【請求項３】
互いに独立した２系統の内視鏡画像信号を並列に同時に入力するための画像信号入力部と、上記画像信号入力部から入力された上記２系統の内視鏡画像信号を記録するための画像信号記録部と、上記画像信号記録部における上記２系統の内視鏡画像信号の記録の仕方を制御するための画像信号記録制御部とが設けられ、
上記画像信号入力部に上記２系統の内視鏡画像信号が同時に入力した時に、一方の内視鏡画像信号が他方の内視鏡画像信号に上書きされて上記画像信号記録部の同じ記録領域に記録される態様と、上記２系統の内視鏡画像信号が上記画像信号記録部のあい異なる個別の記録領域に順次記録されて一方の内視鏡画像信号の入力時刻が上記画像信号記録部の個別の各記録領域に記録される態様とが選択可能であることを特徴とする内視鏡の画像信号記録装置。
【請求項４】
上記２系統の内視鏡画像信号が共に動画である請求項３記載の内視鏡の画像信号記録装置。
【請求項５】
上記２系統の内視鏡画像信号の中の上記一方の内視鏡画像信号が静止画で他方が動画である請求項３記載の内視鏡の画像信号記録装置。
【請求項６】
上記一方の内視鏡画像信号が拡大観察画像信号であり、上記他方の内視鏡画像信号が通常観察画像信号である請求項１ないし３のいずれかの項に記載の内視鏡の画像信号記録装置。
【発明の詳細な説明】
【技術分野】
【０００１】
この発明は、内視鏡によって得られた画像信号を記録するための内視鏡の画像信号記録装置に関するものであり、特に、互いに独立した２系統の内視鏡画像信号を記録するための内視鏡の画像信号記録装置に関する。
【背景技術】
【０００２】
体内の管腔臓器内を内視鏡で視覚的に観察して病変等の有無を検査する手技が広く一般に行われている。しかし、そのような内視鏡検査で病変を見つけても、その病変が癌であるか否か等の確定診断を行うのは困難な場合が多い。
【０００３】
そこで、内視鏡検査で怪しいと思われた部分については生検鉗子等を用いて組織採取が行われるが、癌でも何でもない場合が大半であるにもかかわらず、単なる検査のために体内の管腔壁の粘膜を損傷させて出血させてしまうことになる。
【０００４】
そこで近年は、例えば共焦点内視鏡等のように１ｍｍに満たない範囲の顕微鏡的拡大像を得ることができる内視鏡の画像信号記録装置が開発され、生検組織を採取することなく、内視鏡による直接観察だけで癌であるか否かの確定診断を行えるようになってきている（例えば、特許文献１、２）。
【特許文献１】特開２００４−３４４２０１
【特許文献２】特開２００５−６４０
【発明の開示】
【発明が解決しようとする課題】
【０００５】
特許文献１及び２に記載された発明においてはいずれも、顕微鏡的拡大観察機能と共に、体内の広い範囲を観察する通常観察機能が設けられていて、顕微鏡的拡大観察の画像信号と通常観察の画像信号とが別個に記録される。
【０００６】
しかし、そのように顕微鏡的拡大観察の画像信号と通常観察の画像信号とが別個に記録されると、顕微鏡的拡大観察像を再生した時にそれが体内のどの部位の像だったのか、周囲との関係が全くわからないため、事後の検討に支障をきたす場合がある。
【０００７】
そこで本発明は、記録された顕微鏡的拡大観察像を再生する際に、それが体内のどの部位のものだったのかを通常観察画像との相関により容易に確認することができる内視鏡の画像信号記録装置を提供することを目的とする。
【課題を解決するための手段】
【０００８】
上記の目的を達成するため、本発明の内視鏡の画像信号記録装置は、互いに独立した２系統の内視鏡画像信号を並列に同時に入力するための画像信号入力部と、画像信号入力部から入力された２系統の内視鏡画像信号を記録するための画像信号記録部と、画像信号記録部における２系統の内視鏡画像信号の記録の仕方を制御するための画像信号記録制御部とが設けられ、２系統の内視鏡画像信号が画像信号記録部の同じ記録領域に順次記録されるように制御される。
【０００９】
なお、２系統の内視鏡画像信号が共に静止画であってもよく、共に動画であってもよく、或いは一方の内視鏡画像信号が静止画で他方が動画であってもよい。
そして、画像信号入力部に２系統の内視鏡画像信号が同時に入力した時は、一方の内視鏡画像信号が他方の内視鏡画像信号に上書きされて画像信号記録部の同じ記録領域に記録されるようにしてもよい。
【００１０】
また、２系統の内視鏡画像信号が画像信号記録部のあい異なる個別の記録領域に順次記録されると共に、一方の内視鏡画像信号の入力時刻が画像信号記録部の個別の各記録領域に記録されるように制御されるようにしてもよい。
【００１１】
或いは、画像信号入力部に２系統の内視鏡画像信号が同時に入力した時に、一方の内視鏡画像信号が他方の内視鏡画像信号に上書きされて画像信号記録部の同じ記録領域に記録される態様と、２系統の内視鏡画像信号が画像信号記録部のあい異なる個別の記録領域に順次記録されて一方の内視鏡画像信号の入力時刻が画像信号記録部の個別の各記録領域に記録される態様とが選択可能であるようにしてもよい。
【００１２】
なお、それらの場合に、２系統の内視鏡画像信号が共に動画であってもよく、或いは、２系統の内視鏡画像信号の中の一方の内視鏡画像信号が静止画で他方が動画であってもよい。
【００１３】
また、一方の内視鏡画像信号が拡大観察画像信号であり、他方の内視鏡画像信号が通常観察画像信号であってもよい。
【発明の効果】
【００１４】
本発明によれば、２系統の内視鏡画像信号が入力タイミングを関連づけて画像信号記録部に記録されるので、例えば画像信号記録部に記録された顕微鏡的拡大観察像等を再生する際に、それが体内のどの部位のものだったのかを通常観察像から容易に確認することができる。
【発明を実施するための最良の形態】
【００１５】
互いに独立した２系統の内視鏡画像信号を並列に同時に入力するための画像信号入力部と、画像信号入力部から入力された２系統の内視鏡画像信号を記録するための画像信号記録部と、画像信号記録部における２系統の内視鏡画像信号の記録の仕方を制御するための画像信号記録制御部とが設けられて、２系統の内視鏡画像信号が画像信号記録部の同じ記録領域に順次記録されるように制御され、或いは、画像信号入力部に２系統の内視鏡画像信号が同時に入力した時は、一方の内視鏡画像信号が他方の内視鏡画像信号に上書きされて画像信号記録部の同じ記録領域に記録される態様と、２系統の内視鏡画像信号が画像信号記録部のあい異なる個別の記録領域に順次記録されて一方の内視鏡画像信号の入力時刻が画像信号記録部の個別の各記録領域に記録される態様とが選択可能である。
【実施例】
【００１６】
図面を参照して本発明の実施例を説明する。
図２は、拡大観察用内視鏡１とそれによって得られた画像信号を記録するための画像信号記録装置１０とを含むシステムの全体構成を略示している。
【００１７】
拡大観察用内視鏡１には、例えば１００〜１４０°程度の広い視野角の通常観察用光学系と、例えば共焦点光学系等のように被写体の顕微鏡的拡大観察像を得ることができる拡大観察用光学系とが併設されている。
【００１８】
そして、それらの光学系を通して得られた通常観察像の撮像信号と拡大観察像の撮像信号とが、ビデオプロセッサ等に配置された通常観察画像信号処理回路２と拡大観察画像信号処理回路３で処理されて、通常観察画像信号と拡大観察画像信号の２系統の内視鏡画像信号が画像信号記録装置１０に並列に同時に入力される。２０と３０は、画像信号記録装置１０に接続されたキーボードとテレビモニタである。
【００１９】
図３は、画像信号記録装置１０の内部構成を略示しており、各種の制御を司る中央演算装置１１（画像信号記録制御部）に、通常観察画像信号処理回路２と拡大観察画像信号処理回路３からの２系統の内視鏡画像信号が入力されるキャプチャ回路１２（画像信号入力部）と、テレビモニタ３０に画像信号を出力するモニタ出力回路１３等が接続されると共に、通常観察画像信号処理回路２と拡大観察画像信号処理回路３から入力された２系統の内視鏡画像信号を格納して記録するためのハードディスク１４（画像信号記録部）等が設けられている。キーボード２０からは、オペレータの操作により指示信号等が入力される。
【００２０】
図１は、ハードディスク１４における２系統の内視鏡画像信号の記録の仕方を制御するために画像信号記録装置１０において実行されるソフトウェアの内容を示すフロー図であり、Ｓは制御ステップを示す。
【００２１】
ここでは、まず通常観察画像信号処理回路２と拡大観察画像信号処理回路３からの２系統の内視鏡画像信号入力に時間的重複があるかどうかが判定され（Ｓ１）、２系統の内視鏡画像信号入力に時間的重複がない場合には、通常観察画像信号と拡大観察画像信号がハードディスク１４の同じ記録領域に順次記録されて（Ｓ２）、Ｓ１に戻る。
【００２２】
具体的には、図４に示されるように通常観察画像信号と拡大観察画像信号が共に静止画である場合、図５に示されるように共に動画である場合、或いは図６に示されるように通常観察画像信号が動画で拡大観察画像信号が静止画である場合（又は、その逆の場合）等、いづれの場合も通常観察画像信号処理回路２からの通常観察画像信号と拡大観察画像信号処理回路３からの拡大観察画像信号がハードディスク１４の同じ記録領域に順次記録される。Ａ、Ｂ、Ｃ、…は画像信号を示している。
【００２３】
したがって、その記録内容をハードディスク１４から読み出してテレビモニタ３０に表示すれば、通常観察像と拡大観察像とがそれらの観察が行われた順序通りに再生されるので、拡大観察像が得られた観察位置をその前後の通常観察像から判断することができる。
【００２４】
図１に戻って、Ｓ１において２系統の内視鏡画像信号入力に時間的重複がある場合には、キーボード２０からの入力による割り込み設定があるかどうかが判定され（Ｓ３）、割り込み設定がある場合には、通常観察画像信号処理回路２からの通常観察画像信号と拡大観察画像信号処理回路３からの拡大観察画像信号がハードディスク１４の同じ記録領域に記録され、時間的に重複する部分については拡大観察画像信号が通常観察画像信号に上書き記録されて（Ｓ４）、Ｓ１に戻る。
【００２５】
具体的には、図７に示されるように通常観察画像信号が動画で拡大観察画像信号が静止画である場合、或いは図８に示されるように通常観察画像信号と拡大観察画像信号が共に動画である場合のいづれにおいても、通常観察画像信号処理回路２からの通常観察画像信号に拡大観察画像信号処理回路３からの拡大観察画像信号が上書きされる形で２系統の画像信号がハードディスク１４の同じ記録領域に順次記録される。
【００２６】
したがってこの場合も、ハードディスク１４から記録内容を読み出してテレビモニタ３０に表示すれば、通常観察像と拡大観察像とがそれらの観察が行われた順序通りに再生され、拡大観察像が得られた観察位置をその前後の通常観察像から判断することができる。
【００２７】
再び図１に戻って、Ｓ３においてキーボード２０からの入力による割り込み設定がない場合には、通常観察画像信号処理回路２からの通常観察画像信号と拡大観察画像信号処理回路３からの拡大観察画像信号とがハードディスク１４の個別の記録領域に記録されるが、それと同時に、双方の記録領域に、拡大観察画像信号処理回路３からの拡大観察画像信号の入力時刻が記録されて（Ｓ５）、Ｓ１に戻る。
【００２８】
具体的には、図９に示されるように通常観察画像信号が動画で拡大観察画像信号が静止画である場合、或いは図１０に示されるように通常観察画像信号と拡大観察画像信号が共に動画である場合のいずれにおいても、ハードディスク１４における通常観察画像信号の記録領域と拡大観察画像信号の記録領域の双方に、キャプチャ回路１２での拡大観察画像信号のキャプチャ時刻が記録される。
【００２９】
したがって、ハードディスク１４から記録内容を読み出してテレビモニタ３０に表示する際に、拡大観察像が得られたのと同時刻の通常観察像を表示させることができるので、拡大観察像が得られた観察位置をそれと同時刻の通常観察像から判断することができる。
【００３０】
なお、本発明は上記実施例に限定されるものではなく、例えば、２系統の内視鏡画像信号の記録の仕方の制御において、図１に示されるＳ１とＳ３の順序を入れ換えて、図１１に示されるように割り込み設定の判定を先に行うようにしてもよい。なお、図１１に示される各ステップの内容は図１の場合と同じなので、その説明は省略する。
【００３１】
また、本発明は、２系統の内視鏡画像信号が通常観察画像信号と拡大観察画像信号の組み合わせ以外の場合であっても適用することができる。
【図面の簡単な説明】
【００３２】
【図１】本発明の第１の実施例の内視鏡の画像信号記録装置で実行されるソフトウェアの内容を示すフロー図である。
【図２】本発明の第１の実施例の拡大観察用内視鏡と画像信号記録装置とを含むシステムの全体構成の略示図である。
【図３】本発明の第１の実施例の内視鏡の画像信号記録装置の内部構成を略示するブロック図である。
【図４】本発明の第１の実施例の内視鏡の画像信号記録装置で行われる画像信号の入力状態と記録状態を示す略示図である。
【図５】本発明の第１の実施例の内視鏡の画像信号記録装置で行われる画像信号の入力状態と記録状態を示す略示図である。
【図６】本発明の第１の実施例の内視鏡の画像信号記録装置で行われる画像信号の入力状態と記録状態を示す略示図である。
【図７】本発明の第１の実施例の内視鏡の画像信号記録装置で行われる画像信号の入力状態と記録状態を示す略示図である。
【図８】本発明の第１の実施例の内視鏡の画像信号記録装置で行われる画像信号の入力状態と記録状態を示す略示図である。
【図９】本発明の第１の実施例の内視鏡の画像信号記録装置で行われる画像信号の入力状態と記録状態を示す略示図である。
【図１０】本発明の第１の実施例の内視鏡の画像信号記録装置で行われる画像信号の入力状態と記録状態を示す略示図である。
【図１１】本発明の第２の実施例の内視鏡の画像信号記録装置で実行されるソフトウェアの内容を示すフロー図である。
【符号の説明】
【００３３】
１  拡大観察用内視鏡
２  通常観察画像信号処理回路
３  拡大観察画像信号処理回路
１０  画像信号記録装置
１１  中央演算装置（画像信号記録制御部）
１２  キャプチャ回路（画像信号入力部）
１４  ハードディスク（画像信号記録部）
２０  キーボード
【図１】
0004814647.tif 000002
【図２】
0004814647.tif 000003
【図３】
0004814647.tif 000004
【図４】
0004814647.tif 000005
【図５】
0004814647.tif 000006
【図６】
0004814647.tif 000007
【図７】
0004814647.tif 000008
【図８】
0004814647.tif 000009
【図９】
0004814647.tif 000010
【図１０】
0004814647.tif 000011
【図１１】
0004814647.tif 000012